(57)【要約】      （修正有）【課題】使い勝手がよく安価なポット移載装置を提供する。【解決手段】ポット保持器具１００とポット分離器具１０１を備えている。ポット保持器具１００は軟質樹脂製の薄肉の園芸用ポットｐの内面に圧入される弾性材料からなる複数の把持要部２のそれぞれを平面上での一定配列状態で突設されたものであり、一方、ポット分離器具１０１は、把持要部２のそれぞれに上下方向で個別に正対される複数の透孔ｂ１を形成された平面体８と、この平面体８を床面上の一定高さ位置に水平状に保持する基台１８とを具備したものである。透孔ｂ１のそれぞれはポットｐに関連した形状及び大きさとされる。【選択図】図１
0003157784.tif 000002
【実用新案登録請求の範囲】
【請求項１】
縦横の行列状態に配列されかつ多段に積み重ねられた、口から底面に向けて水平断面が狭まるテーパー形状を有する軟質樹脂製のポットを、前記行列状態のままトレイに移載する園芸用ポット移載装置において、
ポットの内面に圧入される弾性材料からなる複数の把持要部を前記行列状態に対応して平面上で突設した保持器具と、
前記行列状態に対応した位置に、各ポットの底面位置の水平断面より大きくかつ縦横の行列状態に配列された口の位置の水平断面よりも小さい対向箇所をもつ透孔が形成された平面体と、
前記平面体を前記トレイ上に保持する基台とを有することを特徴とするポット移載装置。
【請求項２】
前記平面体が、一定間隔で左右方向へ配列された複数の前後向き直線棒と、一定間隔で前後方向へ配列された複数の左右向き直線棒とを上下で当接させたものとなっており、前記前後向き直線棒及び前記左右向き直線棒で囲まれた四角状の空所領域のそれぞれが前記透孔とされていることを特徴とする請求項１記載のポット移載装置。
【請求項３】
前記平面体が平面板を備え、該平面板に前記透孔が形成されていることを特徴とする請求項１記載のポット移載装置。
【請求項４】
横向き支軸と、該横向き支軸に支持されてこれと同心に揺動されるアーム部材と、該アーム部材の先側に前記ポット保持具を吊り下げ状に支持する吊下げ手段とを有し、該ポット保持器具の把持要部が、多段に積み重ねられたポットのうちの上段のポットに圧入される第１位置と、前記ポット保持器具が把持したポットを前記平面体の透孔を貫通させる第２位置との間で揺動されることを特徴とするポット移載装置。
【考案の詳細な説明】
【技術分野】
【０００１】
本考案は、縦横の行列状態で多段に積層された園芸用ポットから行列状態を維持して1段ずつ取出し、この行列状態のままトレイに移載するポット移載装置に関する。
【背景技術】
【０００２】
園芸用草花などの栽培や流通に携わる関係者においては、移植や出荷或いは売買などのさいに、軟質樹脂製の薄肉の園芸用のポットを空状態で作業用トレイ内に複数個並べる移載作業が行われている。
【０００３】
この移載作業を手作業で行う場合、処理すべきポットの数が多いと多大な手間を要するものとなるため、これを能率的に行えるようにする動力式のポット移載装置が案出され使用されている。しかし、この装置は作業内容に対して大掛かりに過ぎて使い勝手が悪い上に製造コストが高いという欠点がある。
【０００４】
このような事情に対処するため、既に、特許文献１に開示されたような園芸用ポット移し替え装置が提案されている。
【０００５】
この移し替え装置は、複数のポットを把持する把持部材を具備した保持枠と、前記把持部材より下方へ変位し前記ポットを押し出すことで該ポットを前記把持部材から解放する押出部材を具備した支持枠と、これら保持枠及び支持枠を上下方向へ相対移動可能に組み付ける組付手段とを備えた構成となっている。
【先行技術文献】
【特許文献】
【０００６】
【特許文献１】特許第３３８７０６７号公報
【考案の概要】
【考案が解決しようとする課題】
【０００７】
上記特許文献１に開示された園芸用ポット移し替え装置は、ポットを押し出すこと把持部材から解放する押出部材を備えるため、構造が大きくなる。支持枠は保持枠と同様に上下方向に移動する稼動部であるので、装置の大型化につながる。本考案は、簡単かつ軽量な構造のポット移載装置を提供することを目的とする。
【課題を解決するための手段】
【０００８】
上記課題を達成するため、本考案は、縦横の行列状態に配列されかつ多段に積み重ねられた、口から底面に向けて水平断面が狭まるテーパー形状を有する軟質樹脂製のポットを、前記行列状態のままトレイに移載する園芸用ポット移載装置において、ポットの内面に圧入される弾性材料からなる複数の把持要部を前記行列状態に対応して平面上で突設された保持器具と、前記行列状態に対応した位置に、各ポットの底面位置の水平断面より大きくかつ縦横の行列状態に配列された口の位置の水平断面よりも小さい対向箇所をもつ透孔が形成された平面体と、前記平面体を前記トレイ上に保持する基台とを有することを特徴とする。
【考案の効果】
【０００９】
本考案によれば、軟質樹脂製ポットは口から底面に向けて水平断面が狭まるテーパー形状であるので、平面体の透孔に挿入されると変形しながら貫通する。ポットを前記平面体の透孔を貫通させたのち、ポット保持器具を引き抜くと、透孔にポットに引っ掛かりポット保持器具から脱落する。このため、稼動部となる構造に対して、ポットを脱落させるため機構を持たせることが必要なく、簡単な構造となる。
【図面の簡単な説明】
【００１０】
【図１】ポット移載装置の斜視図である。
【図２】ポット保持器具の斜視図である。
【図３】上記ポット保持器具とポットとの関係を示す説明図である。
【図４】上記ポット移載装置の一部であるポット分離器具の斜視図である。
【図５】上記ポット分離器具の平面体の変形例を示しＡは平面図でＢは中央断面図である。
【図６】上記ポット移載装置の使用時に用いる作業用トレイを示しＡは平面図でＢは側面図である。
【図７】上記ポット移載装置の使用状態を示す斜視図である。
【図８】上記ポット移載装置の使用状態を示す斜視図である。
【図９】上記作業用トレイにポットが移載された状態を示す斜視図である。
【考案を実施するための形態】
【実施例１】
【００１１】
以下、本考案に係る園芸用ポット移載装置の一実施例を図面に基づいて説明する。
図１において、１００はポット保持器具、１０１はポット分離器具、そして１０２は案内機構部である。
【００１２】
以下、それぞれについて詳細に説明する。
上記ポット保持器具１００は図２にも示すように保持枠１及び複数の把持要部２を備えている。ここに、保持枠１は前後方向ａ１で対向した一対の左右向き枠部材３、３を具備し、これら左右向き枠部材３、３間の左右方向ａ２上の一定間隔位置に６本の前後向き枠部材４が橋渡し状に固定されている。そして、把持要部２は左右方向ａ２及び前後方向ａ１へ等間隔に配置されており、それぞれは、１本の支持棒５と４個の把持部材６で形成されている。
【００１３】
図示例では、各前後向き枠部材４の前後方向ａ１の一定間隔位置である４箇所のそれぞれから金属管からなる１本の支持棒５が下向きへ固定状に張り出されている。この支持棒５の下端部に４個の把持部材６が上方視でＸ状に配置されており、各把持部材６は弾性変形し易く衝撃に強いポリカーボネートなどのプラスチック材料からなる帯板を円環状に弾性変形させたものとなっている。これら４個の把持部材６のうち２個づつの把持部材６が支持棒５の直径方向で対向するように支持棒５の外周面に当接され、この支持棒５の直径箇所に位置されたボルトなどを介して円環状態を保持されるように支持棒５に固定されている。そして各支持棒５に対応した４個の把持部材６のぞれぞれの外周面のうち、この支持棒５の中心から横方へ離れる側の略半分に摩擦片７を被着された状態とされている。摩擦片７は、ポットｐが脱落しにくいように、砥粒をまぶした布や、布やすり、アルミ箔ヤスリを使用しても良い。この状態とされた各把持部材６は摩擦片７上に外力が付与されたとき該外力の大きさに比例して該外力の方向へ弾性変形する。図の例では、支持棒５は、断面円であるが、断面四角とのものを利用すれば、４個の把持部材６が支持棒５の各周面に正確に取付けることができる。
【００１４】
各把持要部２は図３に示すように園芸用ポットｐ（以下、ポットｐと略す。）内に圧入されるものであって、ポットｐの内方に挿入され得るように形成されると共に、ポットｐの内方に位置された状態では４個の把持部材６がポットｐの内周面に押されて幾分扁平化した状態に弾性変形し、ポットｐの内周面を適当大きさの弾性復元力で押し拡げるものとなっている。また支持棒５は把持要部２がポットｐの内方に最大限に挿入されたとき、把持部材６の最下部位がポットｐの底面近傍に到達することのできる長さとなっている。
【００１５】
上記ポット分離器具１０１は、図４にも示すように平面体８及びこれを地面などの定置面上に水平状に支持するための基台９を備えている。
【００１６】
ここに、平面体８は、内側が四角形の大きな通過領域とされた枠体部１０を備えると共に、この枠体部１０の左右方向ａ２上に一定間隔で配列された複数（７本）の前後向き直線棒１１と、この枠体部１０の前後方向ａ１上に一定間隔で配列された複数（５本）の左右向き直線棒１２とを上下で当接させたものとなっている。各前後向き直線棒１１及び各左右向き直線棒１２は直径が数ｍｍの金属棒とされており、前後向き直線棒１１のそれぞれは両端を枠体部１０の一対の左右向き枠部材１０ａ、１０ｂに固定されており、また各左右向き直線棒１２のそれぞれは両端を枠体部１０の一対の前後向き枠部材１０ｃ、１０ｄに固定されている。前後向き直線棒１１及び左右向き直線棒１２の交叉箇所は単に上下で密接させるだけでもよいのであるが、さらに溶接或いは他の適宜な手段で結合させるのが剛性を増大させる上で好ましい。前後向き直線棒１１及び左右向き直線棒１２で囲まれて形成された各透孔ｂ１は四角状の空所領域とされ行列状に配列されており、それぞれは各把持要部２の４つの把持部材６が上下方向へ通過できる大きさである。
【００１７】
ポットｐは、周知のように軟質樹脂製の肉薄状に一体成型されており、口から底面に向けて水平断面が狭まるテーパー形状をしている。水平断面は円形のものが通常であるが、４角形状のものもある。尚、図１においては、円形形状のポットｐが包用トレイｔ１により密状に配置されているので、変形して４角形状のように見えている。各透孔ｂ１は、ポットｐの底面位置の水平断面より大きくかつ縦横の行列状態に配列された口の位置の水平断面よりも小さい対向箇所（本実施例では、金属棒１１或いは１２の透孔ｂ１中心位置ｃｒでの対向箇所ｂ２或いはｂ３）をもっている。
【００１８】
なお、上記した平面体８は例えば次のように変形できるのであって、即ち、金属棒１１或いは１２の何れかのみを配置した構成とする。この場合、透孔ｂ１は左右方向或いは前後方向で連続した孔となる。しかしながら、各ポットｐの位置でみれば、ポットの底面位置の水平断面より大きく開口されており、かつ金属棒１１或いは１２がポットの口の位置の水平断面よりも小さい対向箇所を持つことになる。さらに、金属棒１１、１２に代えて、樹脂材又は金属材などで形成され枠体部１０の平面視外周形状と同一大きさとされた屈曲し難い図５に示すような平面板を用意し、この平面板に透孔ｂ１’を先の場合と同様の大きさ及び配列として形成したものとする。透孔ｂ１’の形状は、各ポットに対して個別の円形状となっているが、透孔ｂ１’は透孔ｂ１と同様にポットｐの底面位置の水平断面より大きくかつ縦横の行列状態に配列された口の位置の水平断面よりも小さい対向箇所ｂ２（或いはｂ３）をもっている。
【００１９】
一方、基台９は、枠体部１０の右側の前後向き枠部材１０ｄから垂下状に形成した右支持面部９Ａと、枠体部１０の後側の左右向き枠部材１０ｂから垂下状に形成した後支持面部９Ｂとを備えている。
【００２０】
ここに、右支持面部９Ａは前後向き枠部材１０ｄに沿って形成され、後支持面部９Ｂは左右向き枠部材１０ｂに沿って形成されている。そして、右支持面部９Ａには左側垂直面の下端縁に沿って平面板８の前後方向ａ１の全長に及ぶ長さの前後向き姿勢保持棒１３ａが止着されており、また後支持面部９Ｂには前側垂直面の下端縁に沿って平面板８の左右方向ａ２の略全長に及ぶ長さの左右向き姿勢保持棒１３ｂが止着されている。これら姿勢保持棒１３ａ、１３ｂは平面体８を水平状に支持した状態を安定的に保持する上で寄与するものである。
【００２１】
平面体８の真下には一定高さ以上のトレイ配置領域ｃ１が形成されている。このトレイ配置領域ｃ１にはここに配置される作業用トレイｔを簡易に位置決めするためのトレイ位置決め手段１４ａ、１４ｂが必要であり、図示例では２つの姿勢保持棒１３ａ、１３ｂがそれを兼用するものとされている。一方の姿勢保持棒１３ａは作業用トレイｔの右側面下部に当接されて該トレイｔの左右方向ａ２上の位置を決定するものであり、また他方の姿勢保持棒１３ｂは作業用トレイｔの後側面下部に当接されて該トレイｔの前後方向ａ１上の位置を決定するものである。
【００２２】
上記案内機構部１０２は、前後方向ａ１へ向けられた横向き支軸１５と、軸受１６を介してこの横向き支軸１５を回転可能に支持する前後一対の起立支持部１７ａ、１７ｂと、これら起立支持部１７ａ、１７ｂを起立姿勢で安定的に保持する脚部１８とを備えると共に、横向き支軸１５の前端部に固定されたアーム部材１９と、このアーム部材１９の先側にポット保持器具１００を吊り下げ状に支持する吊下げ手段２０とを具備している。
【００２３】
ここに脚部１８は、上面に各起立支持部１７ａ、１７ｂの下端部を固定され水平な定置面上に沿って位置される図示しない前後向き棒部材や、この前後向き部材に直交して固設され前後向き棒部材を一定姿勢に保持する図示しない左右向き棒部材などを備えている。この脚部１８には前後向き姿勢保持棒１３ａや左右向き姿勢保持棒１３ｂが同体状且つ水平状に結合されている。
【００２４】
そして吊下げ手段２０は、アーム部材１９から前方へ固定状に張り出された張り出し軸２１と、この張り出し軸２１に回動可能に外嵌された筒部材２２と、この筒部材２２にポット保持器具１００を吊り下げ状に固定させるための結合部材２３とを具備している。図示例では、この結合部材２３はポット保持基具１００の前後一対の左右向き枠部材３、３の長さ中央箇所に固定状に架け渡された前後向きの棒部材２３ａと、この棒部材２３ａに筒部材２２を結合状に固定させるための連結部材２３ｂなどからなっている。
【００２５】
次に上記した園芸用ポット移載装置の使用例及び作用などについて説明する。
先ず、ポット保持器具１００、ポット分離器具１０１及び案内機構部１０２を水平な定置面上に定置させる。処理すべきポットｐはその製造業者から段ボール箱に収納されて提供されるのであり、段ボール箱内では多数のポットｐが作業用トレイと実質的に同一の梱包用トレイｔ１の上に多段状に積層されると共に各段の水平配置を行列状配列状態とされている。また作業用トレイｔは一般には樹脂材で一体成形されたものが多く使用されるのであり、その形態は、例えば、図１及び図６に示すように１つのポットｐが起立状態で収容される凹み部イを多数備えたものとするのがよいが、底面の全体が単一の平面となっているものであっても差し支えない。
【００２６】
この後、作業者はポットｐの製造業者などから提供された段ボール箱の内方から積層状態のポットｐ群を梱包用トレイｔ１と一緒にそれらの収納状態のまま外方へ取り出し、図１に示すように平面体８の右側領域である第１位置ｄ１に定置させる。このさい、梱包用トレイｔ１を第１位置ｄ１に正確に位置させるための位置決め部材を脚部１８の左右向き姿勢保持棒などと同体状に設けておくのがよいのであり、このようにすれば、梱包用トレイｔ１をこの位置決め部材に当接させるように位置させるだけでその位置決めが正確に行えて便利である。なお、上記段ボール箱内には梱包用トレイｔ１が使用されることなく多数のポットｐが多段状に積層されて収納されることもあり得るが、このような場合、作業者は該段ボール箱内から取り出した積層状のポットｐ群を手作業により作業用トレイｔ上に移し替えるのであり、この後、これらポットｐ及び作業用トレイｔを第１位置ｄ１に図１に示すと同様の状態に位置させる。
【００２７】
一方、空状態の作業用トレイｔの１つを平面体８の真下であるトレイ配置領域ｃ１にその左前方から押し込んで位置させる。このさい、作業用トレイｔの右側及び後側の側面を同時に２つの位置決め部材１４ａ、１４ｂに当接させるようにするのであり、これにより作業用トレイｔはトレイ配置領域ｃ１に正確且つ簡便に位置決めされる。
【００２８】
次に作業者は案内機構部１０２の前側に位置し、この位置にて、ポット保持器具１００又はこれに結合されている吊下げ手段２０などを手で持ってこれらに操作力を付与し、アーム部材１９を、横向き支軸１５を中心として右回り方向ｅ２へ揺動させて、ポット保持器具１００をこれの移動軌跡の一方の端点である第１位置ｄ１へ向け移動させる。この移動により、各把持要部２が第１位置ｄ１に近接したとき、そこに存在しているポットｐ群の対応するものに上下方向で正対しつつ降下していることを確認し、これが確認できたときに、第１位置ｄ１まで押し下げる。これにより、各把持要部２の４つの把持部材６はその対応するポットｐ内に上方から挿入されて図３に示すように圧入された状態となり、このときポットｐの下窄まり状の外周面に押されて扁平状態に弾性変形され、各把持部材６の最下部位がポットｐの底面に当接されるか或いはこれに近似した状態となる深さに到達される。このとき、各把持要部２は、４つの把持部材６がその弾性復元力でポットｐの内周面に圧接することで該ポットｐをその抜け落ちの規制された状態に把持した状態となる。尚、各把持部材６がポットｐを把持する位置を、底面に当接されるか或いはこれに近似した状態としたのは、ポットｐの口の位置で把持すると、各把持部材６と透孔ｂ１との間にポットｐが挟まれて、各把持部材６から脱落しない恐れが生じるからである。
【００２９】
次にポット保持器具１００や吊下げ手段２０などを持った手でポット保持器具１００などに操作力を付与することにより、図７に示すようにアーム部材１９が横向き支軸１５を中心として左回り方向ｅ１へ揺動させるように、ポット保持器具１００を第２位置ｄ２へ向け移動させる。ポット保持器具１００が平面体８に近接したとき、各把持要部２の把持したポットｐがその対応する透孔ｂ１の内方に上方から挿入されることを確認し、これが確認されたとき、手の操作力によりポット保持器具１００を第２位置ｄ２に到達させるように降下させる。この降下により、各把持要部２の４つの把持部材６とこれの把持したポットｐがその対応する透孔ｂ１内を通過するのであり、この通過中には、ポットｐが上拡がりであることに起因してその上部の自由状態時の平面視大きさが透孔ｂ１の大きさよりも全体的に或いは部分的に大きくなっていることから、ポットｐの上部は透孔ｂ１の外周囲箇所で押し窄められ縮径化されて透孔ｂ１内を下方へ抵抗少なく移動される。この移動により各把持要部２の４つの把持部材６とこれの把持したポットｐの全体が平面体８の下側に位置され、ポット把持部材６は第２位置ｄ２に到達した状態となる。各ポットｐが平面体８の下側に位置するとその瞬間に、その上部は平面体８との干渉から解放されて自由状態となり、直ちに自身の弾性復元力で拡径変形される。
【００３０】
次に作業者はポット保持器具１００や吊下げ手段２０などを持った手でポット保持器具１００などに上向きの操作力を付与することにより、アーム部材１９が横向き支軸１５を中心として右回り方向ｅ２へ揺動するように、ポット保持器具１００を第１位置ｄ１へ向け移動させる。この移動のさい、各把持要部２に把持されたポットｐは平面体８の下側で上部が拡径変形しているため、その対応する透孔ｂ１の外周箇所である平面体８の下面部分に当接して、それよりも上方へ移動するのを規制されるのであり、一方では、各ポットｐの内方に圧入された４個の把持部材６が、支持棒５、把持枠１を介して作業者の操作力を付与されることにより、これら把持部材６の把持力に抗して上方へ強制的に引き上げられる。この引き上げ量が一定程度を越えたとき、各把持部材６の４個の把持部材６はポットｐから離れてポットｐに対する把持力を消失するものとなり、各ポットｐはその対応する把持要部２から解放されて自由落下し、この後は、各把持部材６で把持されていたときの行列状配列状態を維持したまま真下へ降下し作業用トレイｔに到達し受け止められる。このさい、作業用トレイｔが１つのポットｐごとにこれの収容される凹み部イを多数有しており、これら凹み部イがポットｐの行列状配列状態と同じように配列されていることから、各把持部材６から落下した全てのポットｐのそれぞれはその対応する凹み部イに起立状に収容される。一方、ポットｐを分離された後の各把持要部２の４個の把持部材６は作業者の操作力でさらに上方へ引き上げられて図８に示す状態となるのであり、この状態に移行する過程で、これら把持部材６はその対応する透孔ｂ１内を上方へ移動するが、このときその対応する透孔ｂ１の外周部に干渉することが生じ得る。たとえこの干渉が生じたとしても、各把持部材６は透孔ｂ１の外周部から受ける外力で弾性変形され、平面体８との間にその上方移動に対する大きな規制力を生じさせるものとならない。したがってポット保持器具１００は作業者の比較的小さい操作力で図８中の位置へ移動されるようになり、この後、案内機構部１０２の案内作用により一定軌跡上を第１位置ｄ１へ向け円滑に移動される。
【００３１】
ポット保持器具１００がこうして再び第１位置ｄ１近傍に到達したとき、作業者は先と同様に、各把持要部２がその対応する次位の段のポットｐの内方に向けて降下していることを確認し、これが確認できたときポット保持器具１００をさらに降下させて、各把持要部２の４個の把持部材６をその対応する各ポットｐ内に押し込むようにする。これにより各把持要部２の４個の把持部材６はその対応するポットｐの内方に圧入され先と同様に該ポットｐを把持した状態となる。ここで作業者が補助者の助けを受けることなく一人で作業するときは、ポット保持器具１００を持っている手を離してこれをポットｐ上に仮置きしておき、自由に移動できる身となった後、既にポットｐが行列状配列状態に移載されている図９に示す状態の作業用トレイｔを平面体８の下側から引き出し他所へ移動させるのであり、代わりに、作業者は次に使用する空状態の作業用トレイｔを平面体８の真下に位置させる。この後、仮置きしていたポット保持器具１００に操作力を付与してこれを引き上げ第２位置ｄ２へ向けて移動させるようにする。以後は同じ作業を必要回数だけ繰り返す。
【００３２】
上記のような使用では、ポット保持器具１００はその移動操作中、案内機構部１０２により一定軌跡上を辿るように案内されると共にその重量を基台１８、横向き支軸１５、アーム部材１９及び吊り下げ手段２０を介して部分的に支持される。これにより作業者はアーム部材１９を横向き支軸１５回りへ揺動させるに足る操作力を付与することでポット保持器具１００の移動が行えるのであり、作業者の疲労が軽減される。
【実施例２】
【００３３】
上記の実施例は次のように変形できる。
即ち、上記案内機構部１０２は存在しないものとし、ポット保持器具１００はこれを自由移動させることを可能とした独立構造体とする。この場合、処理すべきポットｐは平面体８近傍の任意位置に、図１に示すと同様に積層状且つ行列状配置状態に定置させればよい。また作業用トレイｔは既述同様に平面体８の真下に位置させる。
【００３４】
装置の使用中には、作業者はポット保持器具１００を持ち上げて略水平状に保持すると共に各把持要部２の先部を下方へ向けた状態に保持し、これを既に任意位置に行列状配列状態で多段状に積層されているポットｐ群の真上に移動し続いて下方へ移動させ、各把持要部２の４個の把持部材６を上記実施例の場合と同様にその対応するポットｐの内方へ挿入し該ポットｐの底面近傍まで押し込んで圧入させる。これにより各把持要部２はその対応する各ポットｐを把持した状態となる。
【００３５】
この後、作業者はポット保持器具１００を手で持ち上げて、これを平面体８の真上に位置させ続いて降下させ、各把持要部２に把持されたポットｐを平面体８の透孔ｂ１内に同時に挿入し、該ポットｐ及び４個の把持部材６を平面体８の下側に移動させる。この移動の後、再びポット保持器具１００を引き上げるのであり、これにより、先の実施例の場合と同様に、各ポットｐはこれを把持していた把持部材６から分離されて降下し、行列状配列状態のまま作業用トレイｔ内に移載される。
【００３６】
ポット保持器具１００はさらに上方へ移動されて、各把持要部２の４個の把持部材６は平面体８の対応する透孔ｂ１内を上方へ通り抜ける。こうして各把持要部２が平面体８の上方へ移動された後も、ポット保持器具１００は作業者に持ち運ばれることにより、行列状配列状態で多段状に積層されたポットｐ群の真上に再び移動され、降下される。これにより、各把持要部２の４個の把持部材６は再びその対応するポットｐの内方に挿入された状態となる。ここで作業者が補助者の補助を受けずに一人で作業するときは、先の実施例と略同様に、ポット保持器具１００から手を離し、平面体８の真下で既にポットｐが行列配列状態に移載された作業用トレイｔを平面体８の真下から抜き出し、代わりに空状態の作業用トレイｔを位置させる。この後、作業者は各把持要部２がポットｐを把持した状態となっているポット保持器具１００を再び両手で持ち上げ、平面体８の真上へ移動させるのであり、以後は同様な作業を必要なだけ繰り返す。このような処理によっても、ポットｐは先の実施例の場合と同様に作業用トレイｔ内に行列状配列状態で能率よく移載されるものとなる。
【符号の説明】
【００３７】
１００  ポット保持器具
１０１  ポット分離器具
１０２  案内機構部
ｐ  園芸用ポット
２  把持要部
８  平面体
１１  前後向き直線棒
１２  左右向き直線棒
１５  横向き支軸
１８  基台
１９  アーム部材
２０  吊下げ手段
ａ１  左右方向
ａ２  前後方向
ｂ１  透孔
ｃ１  トレイ配置領域
ｄ１  第１位置
ｄ２  第２位置
ｔ  トレイ
【図１】
0003157784.tif 000003
【図２】
0003157784.tif 000004
【図３】
0003157784.tif 000005
【図４】
0003157784.tif 000006
【図５】
0003157784.tif 000007
【図６】
0003157784.tif 000008
【図７】
0003157784.tif 000009
【図８】
0003157784.tif 000010
【図９】
0003157784.tif 000011
【手続補正書】
【提出日】平成21年12月22日(2009.12.22)
【手続補正１】
【補正対象書類名】実用新案登録請求の範囲
【補正対象項目名】請求項４
【補正方法】変更
【補正の内容】
【請求項４】
横向き支軸と、該横向き支軸に支持されてこれと同心に揺動されるアーム部材と、該アーム部材の先側に前記ポット保持器具を吊り下げ状に支持する吊下げ手段とを有し、該ポット保持器具の把持要部が、多段に積み重ねられたポットのうちの上段のポットに圧入される第１位置と、前記ポット保持器具が把持したポットを前記平面体の透孔を貫通させる第２位置との間で揺動されることを特徴とする請求項１記載のポット移載装置。